(57)【要約】【課題】使用していないときに屋内空調への影響や外部騒音による不具合を抑え、しかも、見栄えが良く、さらには、清掃などのメンテナンスにおいても利便性の向上を図り得るように改良された整流板を備えているレンジフードを提供する。【解決手段】送風機ユニット２にフード部１を取り付け、このフード部１の開口縁部８ａとの間に、汚染空気Ｇの吸込み風速を増速させるための吸込み隙間Ｓを確保するようにフード部１に備えられる整流板１０を、開口縁部８ａと略面一状態でフード部１の開口部９を閉鎖するように、そして、フード部１の前側に大きな開口面積を有する吸込み隙間Ｓが確保されるように、降下移動に伴いフード部１の後側へ向けて漸次降下するようにフード部１にリンク部材１７を介して昇降動可能に備えたことにある。【選択図】図１
2008292074.tif 000002
【特許請求の範囲】
【請求項１】
下向きに開口するフード部と、このフード部が取り付けられる送風機ユニットと、を備え、
前記フード部は、開口縁部との間に、汚染空気などの吸込み風速を増速させるための吸込み隙間を確保するように整流板を備えて、
前記吸込み空間からフード部内に吸い込まれる汚染空気を、前記送風機ユニットに接続される排気ダクトから屋外に排気するように構成されているレンジフードであって、
前記整流板は、前記フード部の開口縁部と略面一状態で該フード部の開口部を閉鎖する位置と、前記吸込み隙間を確保する降下位置とで昇降動するように、前記フード部に昇降動手段を介して備えられていることを特徴とするレンジフード。
【請求項２】
前記昇降動手段は、前記整流板を、上昇移動限において、前記フード部の開口縁部と略面一状態で該フード部の開口部を閉鎖し、かつ、降下移動限において、前記フード部の前側に大きな開口面積を有する前記吸込み隙間が確保されるように降下移動に伴い前記フード部の後側へ向けて漸次降下するように、リンク部材と昇降モータとを備えて構成されていることを特徴とする請求項１に記載のレンジフード。
【請求項３】
前記整流板は、照明機器を備えていることを特徴とする請求項１または請求項２に記載のレンジフード。
【請求項４】
前記整流板は、降下移動したときに、油脂分の捕獲回収量を目視することができる透視性を有するオイルトレーを備えていることを特徴とする請求項１から請求項３のいずれか1項に記載のレンジフード。
【請求項５】
前記整流板は、前記フード部の開口部を閉鎖するときの水平な姿勢から、前記フード部の後側へ向けて漸次降下するときに、該フード部の後側が傾斜下端側となる斜め姿勢へと変更されるように前記フード部に備えられているとともに、傾斜下端側にオイル受け部を備えていることを特徴とする請求項１から請求項３のいずれか1項に記載のレンジフード。
【請求項６】
前記フード部に備えられている操作部による前記送風機ユニットの運転開始が操作された時点で、前記整流板の降下移動が開始するとともに、前記運転開始が操作された後に、予め設定されている所定の時間が経過した時点で、前記送風機ユニットが運転を開始し、
かつ、前記操作部による前記送風機ユニットの運転停止が操作された後に、予め設定されている所定の時間が経過した時点で、前記整流板が上昇移動を開始するように構成されていることを特徴とする請求項１から請求項５のいずれか1項に記載のレンジフード。
【発明の詳細な説明】
【技術分野】
【０００１】
本発明は、ガスコンロ、電気コンロ、および電磁誘導感熱式クッキングヒータ（ＩＨヒータ）などの加熱調理器具の上方に設置されて、調理中に発生する廃ガスなどの汚染空気（汚染物質）を吸い込み捕集して屋外に排気するためのレンジフードに係り、特に、下向きに開口する開口部に整流板を備えることにより、整流板の周りに、汚染空気の吸込み風速を増速させるための吸込み隙間を確保するように構成されているレンジフードに関する。
【背景技術】
【０００２】
従来から、下向きに開口するフード部の開口縁部との間に、汚染空気の吸込み風速を増速させるための吸込み隙間を確保するように整流板を備えているレンジフードは知られている（例えば、特許文献１参照）
この特許文献１に記載されているレンジフードは、排気ファンを収容するケーシング内に備えられている仕切り壁に対し、複数の螺子によって整流板を昇降動可能に支持させている。これにより、整流板を仕切り板に接近させるように上昇させることで、整流板と仕切り板との間に形成される吸込み隙間（通路）の開口断面積が減少させるようにしている。
【特許文献１】特開平８−２７１００２号公報（段落番号００２１〜００２３、および図２参照）
【発明の開示】
【発明が解決しようとする課題】
【０００３】
ところで、レンジフードが設置されているキッチンなどの屋内と、建物の屋外とは、レンジフードを使用していないときにおいてもレンジフードを構成するフード部、送風機ユニット、そしてこの送風機ユニットに接続されて外部に連通する排気ダクトなど、これらを介して常時流通された状態にある。
このために、外部からの寒気が屋内に流入、逆に、屋内の暖気が外部に流出するなどにより、キッチンなどの屋内空調に影響を及ぼすなどのおそれがあった。また、室内空調のみならず、外部からの騒音などが屋内に流入することもあり、外部騒音による影響を引き起こすなどのおそれもあった。
【０００４】
そこで、本発明は、前記課題を解消するために創案されたものであり、使用していないときに屋内空調への影響や外部騒音による不具合を抑え、しかも、見栄えが良く、さらには、清掃などのメンテナンスにおいても利便性の向上を図り得るように改良された整流板を備えているレンジフードを提供することにある。
【課題を解決するための手段】
【０００５】
前記課題を解決するために、本発明では、下向きに開口するフード部と、このフード部が取り付けられる送風機ユニットと、を備え、前記フード部は、開口縁部との間に、汚染空気の吸込み風速を増速させるための吸込み隙間を確保するように整流板を備えて、前記吸込み空間からフード部内に吸い込まれる汚染空気を、前記送風機ユニットに接続される排気ダクトから屋外に排気するように構成されているレンジフードであって、
前記整流板は、前記フード部の開口縁部と略面一状態で該フード部の開口部を閉鎖する位置と、前記吸込み隙間を確保する降下位置とで昇降動するように、前記フード部に昇降動手段を介して備えられていることを特徴とする。
ここで、前記昇降手段としては特に限定されるものではないが、例えば、前記整流板を、上昇移動限において、前記フード部の開口縁部と略面一状態で該フード部の開口部を閉鎖し、かつ、降下移動限において、前記フード部の前側に大きな開口面積を有する前記吸込み隙間が確保されるように降下移動に伴い前記フード部の後側へ向けて漸次降下移動するように、リンク部材と昇降モータとを備えて構成されていることが好適なものとなる。
また、前記整流板は、照明機器を備えていることが好適なものとなる。また、前記整流板は、降下移動したときに、油脂分の捕獲回収量を目視することができる透視性を有するオイルトレーを備えていることが好適なものとなる。この場合、オイルトレーは、調理者側に向けた前方へと引き出すことで、取り外すことができるように整流板の前半部側へ備えることができる。そして、捕獲された油脂分がオイルトレーに向かって流れ込むように、整流板の後半部側は斜めに形成されていることが好適なものとなる。
【０００６】
このような構成によれば、整流板は、送風機ユニットが運転（動作）を停止している不使用のときに、下向きに開口しているフード部の開口部を、その開口縁部と面一状態で閉鎖する。これにより、寒気や外部騒音などが、フード部、送風機ユニット、そしてこの送風機ユニットに接続されて外部に連通する排気ダクトなどを介して屋内に流入してくることを抑止することができる。
そして、整流板は、送風機ユニットを運転させての使用のときには、フード部の開口部を閉鎖する位置から降下移動させることにより、フード部の開口縁部との間に汚染空気などの吸込み風速を増速させるための吸込み隙間を確保する。このとき、整流板をフード部の後側に向けて降下移動させることで、フード部の前側における開口縁部との間に大きな開口面積の吸込み隙間を確保することができる。
これにより、調理中に発生する油脂分などを含む廃ガスなどの汚染空気を、整流板周り、特にフード部の前側に確保されている大きな開口面積を有する吸込み隙間からフード部内に効率的に吸い込み捕集することができる。つまり、調理中に加熱調理機器や調理鍋などから舞い上がる汚染空気は、フード部の後側が位置する室内壁（キッチン壁）側よりも開放されているフード部の前側に向かって上昇する傾向が見られる。このために、フード部の前側へと上昇されてくる汚染空気を、当該前側の大きな開口面積を有する吸込み隙間からフード部内に吸い込み捕集することができる。
【０００７】
また、送風機ユニットを運転させてレンジフードを使用するときに、整流板の位置を、フード部の開口部を閉鎖する位置から下降させることによって、汚染空気の吸込み隙間をフード部の開口縁部との間に開口することができるため、フード部内の汚染空気の流路を十分に取ることができる。これにより、フード部の開口部に整流板を固定的に備えている従来のレンジフードに比べて、汚染空気の捕集性能を保ちつつ、フード部の厚みを薄くすることができるとともに、レンジフードの小型化および見栄えを向上させることができる。
さらに、送風機ユニットが停止しているときには、整流板とフード部の開口縁部を略面一状態とすることができるため、フード部の開口縁部と整流板との間（レンジフードの下面）には凹凸が少ない。これにより、レンジフードの下面の拭取り清掃が行い易くなる。
しかも、面一状態のレンジフードの厚みが最小限にでき、外気との通気を遮断することができるため、センタキッチンでダイニングルームなどに設置しても違和感の無い見栄えのよいレンジフードとすることができる。
【０００８】
さらに、送風機ユニットのファンケーシングなどにおいて汚染空気から分離されて整流板の上に滴下及び流下される油脂分は、オイルトレー内に回収される。また、オイルトレー内に回収された油脂分の回収量などは、整流板が降下移動したときに、透視性を有するオイルトレーを透して目視（確認）することができる。これにより、オイルトレーに回収された油脂分が、オイルトレーから溢れ出るなどを未然に防ぐことができる。
【０００９】
また、本発明では、前記整流板が、前記フード部の開口部を閉鎖するときの水平な姿勢から、前記フード部の後側へ向けて漸次降下移動するときに、該フード部の後側が傾斜下端側となる斜め姿勢へと変更されるように前記フード部に備えられるとともに、傾斜下端側にオイル受け部を備えていることを特徴とする。
【００１０】
このような構成によれば、フード部の開口部を閉鎖する水平な姿勢からフード部の後側へ向けて漸次降下移動したときに、整流板は、フード部の後側が傾斜下端側となるように斜め姿勢に変更される。これにより、送風機ユニットのファンケーシング内などにおいて汚染空気から分離されて整流板の上に滴下される油脂分は、整流板の傾斜下端側に設けられているオイル受け部側に流れ、該オイル受け部によって回収される。
【００１１】
また、本発明では、前記フード部に備えられている操作部による前記送風機ユニットの運転開始が操作された時点で、前記整流板の降下移動が開始するとともに、前記運転開始が操作された後に、予め設定されている所定の時間が経過した時点で、前記送風機ユニットが運転を開始し、かつ、前記操作部による前記送風機ユニットの運転停止が操作された後に、予め設定されている所定の時間が経過した時点で、前記整流板が上昇移動を開始するように構成されていることを特徴とする。
ここで、前記送風機ユニットの運転開始と運転停止との切り替え操作は、前記フード部の前面部などに備えられている操作部による操作の他に、リモコンによる遠隔操作により行うことができる。そして、前記送風機ユニットの運転開始が、前記操作部、または、前記リモコンによる遠隔操作により操作された後に、送風機ユニットが運転を開始する予め設定されている所定の時間（ディレイタイム）としては、前記整流板が、前記フード部の開口部を閉鎖している上昇移動限から降下移動限まで降下移動するためにかかる開動作時間を、例えば、２〜５秒の範囲に仮定した場合、３秒程度に設定することができる。
一方、前記送風機ユニットの運転停止が操作された後に、前記整流板が上昇移動を開始する予め設定されている所定の時間（ディレイタイム）としては、送風機ユニットの排気ファンの回転が、運転停止から惰性を含めて止まるまでの停止時間を、例えば、５〜１０秒の範囲に仮定した場合、７秒程度に設定することができる。
【００１２】
このような構成によれば、送風機ユニットの運転開始・運転停止の切り替え操作に追従させた自動操作にて整流板を降下移動および上昇移動させることができる。
つまり、送風機ユニットの運転開始と略同時に降下移動を開始する整流板が降下移動限まで移動する開動作が終了する直前か、終了した時点で、送風機ユニットの運転が開始されることで、整流板の降下移動によってフード部の開口縁部との間に囲繞状に確保される吸込み隙間から汚染空気をフード部内に効率よく吸込み捕集するための汚染空気の捕集を確実に実行させることができる。
また、送風機ユニットの運転停止が操作されたときには、送風機ユニットの排気ファンの回転が停止する直前か、完全に停止した時点で、整流板の上昇移動が開始されることで、フード部内に吸い込み捕集された汚染空気は、送風機ユニットに接続されている排気ダクトから屋外に排気される汚染空気の屋外排気が確実に実行させることができる。
しかも、整流板によりフード部の開口部が閉鎖された状態での送風機ユニットの空運転によって、送風機ユニットのファンケーシング内を含めてフード部内に生じるおそれがある負圧現象などによる騒音や振動などの発生を防ぐことができる。
【発明の効果】
【００１３】
本発明に掛るレンジフードは以上のように構成されていることで、使用していないときの屋内空調への影響、そして、屋外からの騒音問題を抑えることができる。しかも、フード部の開口部を閉鎖する整流板と当該開口縁部とは略面一となることで、見栄えが良く、フード部の開口縁部や整流板の表面（底面）などに付着している油脂分などの汚れを拭き取るなどの作業性が良好となる。さらに、整流板を下降移動限に下降させた状態で、整流板の裏面（上面）やフード部内の汚れを拭き取ることもできる。
【００１４】
そして、整流板自体が照明機器を備えていることで、送風機ユニットが運転するときにフード部の開口部を開くように降下移動してくる整流板によって、照明機器からの明かりが遮られることなく、加熱調理器具や調理鍋などを万遍に、かつ、均一に照らすことができる。
【００１５】
また、送風機ユニットなどから整流板の上に滴下された油脂分などは、整流板に備えられているオイルトレーや、整流部の傾斜下端側に設けられているオイル受け部によって回収されることで、油脂分の回収が確実で、清掃性においても有利になる。
【００１６】
また、送風機ユニットの運転開始・運転停止の操作に追従させた自動操作にて、吸込み隙間からフード部内へ汚染空気を効率よく吸込み捕集するために整流板を降下移動させる。そして、送風機ユニットの空運転によってフード部内に生じる負圧現象を抑え、騒音や振動などの発生を防ぐタイミングで整流板を上昇移動させることができる。
【発明を実施するための最良の形態】
【００１７】
以下、本発明のレンジフードの実施形態について、適宜図面を参照しながら詳細に説明する。
【００１８】
［第１の実施形態の説明］
図１は、第1の実施形態に係る本発明のレンジフードにおいて、整流板を降下移動させたときの状態を示す縦断側面図であり、図２は、整流板を上昇移動させてフード部の開口部を閉鎖させたときの状態を示す縦断側面であり、図３は、フード部の斜め下側から見たときの斜視図である。
【００１９】
≪レンジフードの構成≫
レンジフードＡは、図１に示すように、加熱調理器具Ｂの略真上において設置され、調理中に発生する油煙、水蒸気、熱気、廃ガスなどの汚染空気Ｇを吸引捕集し、排気ダクト３を通して屋外に排気するように構成されている。
このレンジフードＡは、図１および図３に示すように、平型（薄型）のフード部１の上に送風機ユニット２を取り付けて構成されている。
また、レンジフードＡは、図１に示すように、送風機ユニット２および排気ダクト３を目隠すように、フード部１の天板１ａからキッチン天井Ｋ２に至るように形成されている幕板４を、適宜取り外すことができるように備えている。
【００２０】
≪フード部の構成≫
フード部１は、図１に示すように、下向きに開口する扁平箱型に形成されている。そして、
フード部１は、図１および図２に示すように、調理者側である前面部１ｂに操作部５を備えている。
この操作部５は、送風機ユニット２の後記する排気装置２ｂの運転開始と運転停止との切り替え、そして、排気装置２ｂの運転強弱切り替え、さらにはフード部１の下向き開口の後側（キッチン壁面Ｋ１側）に備えられている電球などの照明機器６の点灯と消灯との切り替えなどの操作を行うためのタッチまたはプッシュタイプのスイッチ類（図示省略）を備えて構成されている。
【００２１】
また、フード部１は、図１および図３に示すように、天板１ａに連絡口７を備えている。
この連絡口７は、送風機ユニット２の後記する排気ボックス２ａ内とフード部１内とを連通させるためのものであり、天板１ａのほぼ中央部位に所定の開口面積にて開設されている。
そして、フード部１は、図１に示すように、連絡口７の下側に、下向き開口側と連絡口７側とを仕切るようにフードカバー８を備えて、このフードカバー８によって下向きに開口する開口部（吸込み口）９が形成されるようにしている。
【００２２】
さらに、フード部１は、図１に示すように、フードカバー８に整流板１０を昇降動可能に備えて、フードカバー８の下向き開口縁部８aとの間に、汚染空気Ｇなどの吸込み風速を増速させるための吸込み隙間Ｓが確保されるように形成されている。
これにより、調理中に、加熱調理器具Ｂや調理鍋ｂなどから立ち昇る汚染空気Ｇをキッチン天井Ｋ２側などに拡散取り逃がすことなく、整流板３に沿って吸込み隙間Ｓからフード部１内に効率よく吸い込み捕集されるようにしている。
【００２３】
≪送風機ユニットの構成≫
送風機ユニット２は、図１に示すように、排気ボックス２ａと、この排気ボックス２ａ内におけるフード部１の連絡口７に連通する前半部側を除く後半部側に位置して垂直な縦置き状態で内設される排気装置２ｂとを備えて構成されている。
【００２４】
≪排気ボックスの構成≫
排気ボックス２ａは、図１に示すように、フード部１の天板１ａに開設されている連絡口７に、前半部を連通させるように、天板１ａの上にネジ止めなどによって取り付けられる縦断面視で略四角形状に形成されている。
【００２５】
≪排気装置の構成≫
排気装置２ｂは、図１に示すように、排気ダクト３が接続される接続筒１１をケーシング周面の上面部位に備えているファンケーシング１２内に、ファンモータＭ１に軸支させて排気ファン（遠心ファン、多翼ファン）１４を同軸上に収容させた構成としている。
【００２６】
≪ファンケーシングの構成≫
ファンケーシング１２は、ボリュート形状に形成されている。そして、ファンケーシング１２は、ネジ止めなどによって、図１に示すように、排気ボックス２ａ内におけるフード部１の連絡口７に連通する前半空間側を除く、排気ボックス２ａの後半部側に位置して縦置きに吊持されて内設させるように形成されている。
これにより、ファンケーシング１２は、ベルマウス１５がビス止めなどによって着脱可能に取り付けられることで形成される吸込み口１６を、連絡口７の真上に位置させてフード部１の前側に向けて開口させた正面向き状態で排気ボックス２ａ内に収容されるようになっている。
【００２７】
≪整流板の構成≫
整流板１０は、フードカバー８によって下向き開口状に形成されるフード部１の開口部９の開口形状とほぼ同じ形状に形成されているとともに、各辺周縁には一連に連なる立上り辺部１０ａを備えている。
そして、整流板１０は、フード部１の開口部９に昇降動手段を介して昇降動可能に備えられ、上昇移動限において、開口部９を形成するフードカバー８の開口縁部８ａと略面一状態で開口部９を閉鎖するように、下降移動限において、開口縁部８ａとの間に吸込み隙間Ｓを確保するように形成されている。
【００２８】
≪昇降動手段の構成≫
昇降動手段は、図１に示すように、開口部９を形成するフードカバー８の両側壁部の要所前後の２ヶ所にそれぞれ備えられて、整流板１０を昇降動可能に支持するためのリンク部材１７と、フード部１の後側におけるフードカバー８とフード部１の天板１ａとの間に確保されている空間部に内設されて、リンク部材１７を介して整流板１０を昇降させるための正転・逆転の切り替えを可能とする昇降モータＭ２とを備えて構成されている。
これにより、レンジフードＡが使用されないときには、図２および図３の（ｂ）に示すように、フード部１の開口部９がフードカバー８の開口縁部８ａと略面一状態で整流板１０により閉鎖されるようにしている。そして、送風機ユニット２の排気装置２ｂを運転させてレンジフードＡが使用されるときには、図１および図３の（ａ）に示すように、フードカバー８の下向き開口縁部８ａとの間に吸込み隙間Ｓが確保されるように、整流板１０が降下移動されるようにしている。
【００２９】
なお、図示を省略しているが、昇降モータＭ２からリンク部材１７への動力の伝達は、フードカバー８の両側壁部とフード部１の両側面部との間においてそれぞれ確保されている両側の空間部（図示省略）に、昇降モータＭ２と、左右両側の前後２ヶ所のリンク部材１７の軸支部１７ａとを連繋するための無端状の連繋手段をそれぞれ備える。
例えば、昇降モータＭ２のボディから左右双方に突出させた出力軸を、フード部１の両側方向に軸受けなどを介して回動可能に掛け渡すように、フード部１の後側に昇降モータＭ２を内設するとともに、主力軸の両端部にスプロケットまたはプーリーをそれぞれ取り付ける。そして、左右両側の前後２ヶ所のリンク部材の軸支部におなじくスプロケットまたはプーリーを取り付けて、これら左右両側の各スプロケットまたはプーリーにわたりチェーンまたはワイヤー、ベルトなどからなる連繋手段をそれぞれ巻回させるように掛け渡すなどにより、昇降モータＭ２の正転または逆転によって整流板１０を昇降移動させるように構成することができる。
この場合、昇降モータＭ２側に位置する一方のリンク部材１７の軸支部１７ａにおいてはダブルスプロケットまたはダブルプーリーとする構造を採用することで、昇降モータＭ２からの正転・逆転動力を前後双方のリンク部材１７に対して誤作動なく、確実に伝達することができる。
【００３０】
なお、昇降モータＭ２の正転・逆転の切り替え操作は、フード部１の前面部１ｂに備えられている操作部５に整流板昇降用（整流板開閉用）の閉スイッチと開スイッチを備えるなどによって行うことができる。また、操作部５に備えられている送風機ユニット２の排気装置２ｂの運転開始と運転停止とのＯＮ／ＯＦＦ切り替えスイッチと兼用させることができる。
つまり、排気装置２ｂのファンモータＭ１の運転開始が、操作部５の運転ＯＮスイッチにより操作されたときに、例えば、昇降モータＭ２が逆転する運転を開始し、フード部１の開口部９を閉鎖している整流板１０をリンク部材１７によってフード部１の後側に向けた斜め下方に漸次降下移動させる。
そして、ファンモータＭ１の運転停止が、操作部５の運転ＯＦＦスイッチにより操作されたときには、昇降モータＭ２が正転する運転を開始し、フード部１の開口部９を閉鎖するように、整流板１０をリンク部材１７によってフード部１の前側に向けた斜め上方に漸次上昇移動させることができる。
【００３１】
また、本実施例では、図２および図３の（ｂ）に示すフード部１の開口部９を閉鎖している上昇移動限から、図1および図３の（ａ）に示す下降移動限へと整流板１０が降下移動するときに、フード部１の後側に向けて漸次降下移動するように形成している。
これにより、フード部１の前側におけるフードカバー８の開口縁部８ａとの間に確保される吸込み隙間Ｓの開口面積が、フード部１の後側、および左右両側の他の三辺側に比べて大きく確保されるようにしている。
【００３２】
［第１の実施形態に係るレンジフードの作用説明］
次に、以上のように構成されている第１の実施形態に係るレンジフードＡの作用について簡単に説明する。ここでは、図１〜図３を適宜参照しながら説明する。
調理をするときに、調理者がフード部１の操作部５に備えられている排気装置２ｂ（ファンモータＭ１）の運転ＯＮスイッチを操作すると、昇降用モータＭ２が逆転し、この回転動力が連繋手段を介して左右両側の各リンク部材１７の軸支部１７ａに取り付けられているスプロケットまたはプーリーにそれぞれ同一方向の回転が同時に伝達される。
すると、図２および図３の（ｂ）に示すように、フード部１の開口部９を閉鎖している整流板１０は、図１および図３の（ａ）に示すように、フード部１の後側に向けた斜め下方の下降移動限まで各リンク部材１７の回動に伴い漸次降下移動されることで、降下移動された整流板１０の周囲各辺とフードカバー８の各辺開口縁部８ａとの間には吸込み隙間Ｓが確保される。
これにより、調理中に加熱調理機器Ｂや調理鍋ｂなどから舞い上がる汚染空気Ｇは、排気装置２ｂの吸引力よって大きな開口面積を有するフード部１の前側の吸込み隙間Ｓ、そして、フード部１の後側、左右両側の吸込み隙間Ｓからフード部１内に吸い込み捕集される。フード部１内に捕集された汚染空気Ｇは、送風機ユニット２の排気ボックス２ａ、ファンケーシング１２、そしてファンケーシング１２から屋外にわたる排気ダクト３によって屋外に排気される。
【００３３】
そして、調理が終了した後に、調理者が排気装置２ｂの運転ＯＦＦスイッチを操作すると、昇降モータＭ２が正転し、この回転動力が連繋手段を介して左右両側の各リンク部材１７の軸支部１７ｂに同時に伝達され、図１および図３の（ａ）に示すように、下降移動限から整流板１０は、図２および図３の（ｂ）に示すように、フード部１の前側に向けた斜め上方に各リンク部材１７の回動に伴い漸次上昇移動されてフード部１の開口部９を閉鎖する。
これにより、図２に、点線矢印で示すように、排気ダクト３、送風機ユニット２を通って外部から浸入されてくる寒気や外部騒音など流れは、フード部１の開口部９を閉鎖している整流板１０によって、室内への流れがフード部１内において遮断される。
【００３４】
このように構成されている第１の実施形態に係るレンジフードＡによれば、送風機ユニット２の排気装置２ｂの運転が停止している不使用のときに、フード部１の開口部９は、図２および図３の（ｂ）に示すように、整流板１０によって開口縁部８ａと面一状態で閉鎖されている。これにより、寒気や外部騒音などが、屋内に流入してくることを抑止することができる。
そして、送風機ユニット２の排気装置２ｂを運転させて使用のときには、フード部１の後側に向けた斜め下方の降下移動限への整流板１０の降下移動により、フード部１の開口部９は、図１および図３の（ａ）に示すように、開口されるとともに、フード部１の前側に確保される大きな開口面積を有する吸込み隙間Ｓを含めて、整流板１０の各辺周囲とフードカバー８の各辺開口縁部８ａとの間には吸込み隙間Ｓが確保される。これにより、調理中に加熱調理機器Ｂや調理鍋ｂなどから舞い上がる汚染空気Ｇを、フード部１内に効率よく吸い込み捕集することができる。
【００３５】
［第２の実施形態の説明］
図４は、第２の実施形態に係る本発明のレンジフードにおいて、整流板を降下移動させたときの状態を示す縦断側面図である。
第２の実施形態の係るレンジフードＡ１では、図４に示すように、整流板１０自体に照明機器１３を備えた構成を採用したものであり、他の構成要素においては前記した第１の実施形態の構成要素と基本的に同じことから、同じ構成要素に同じ符号を付することにより重複説明は省略する。
つまり、整流板１０に、加熱調理機器Ｂや調理鍋ｂなどを照らすための照明機器１３を備えている。これにより、調理をするときに、調理者が操作部５の排気装置２ｂのファンモータＭ１の運転ＯＮスイッチを操作し、フード部１の開口部９を開くように降下移動してくる整流板１０によって、照明機器１３から照射される明かりが遮られることなく、加熱調理器具Ｂや調理鍋ｂなどを万遍に、かつ、均一に照らすことができるようにしている。
【００３６】
［第３の実施形態の説明］
図５は、第３の実施形態に係る本発明のレンジフードの要部を示す縦断側面図である。
第３の実施例に係るレンジフードＡ２は、図５に示すように、整流板１０がフード部１の後側に向けて降下移動したときに、油脂分の捕獲回収量を目視することができる透視性を有するオイルトレー１８を備えた構造を採用したものであり、他の構成要素においては前記した第１の実施形態の構成要素と基本的に同じことから、同じ構成要素に同じ符号を付することにより重複説明は省略する。
すなわち、整流板１０の前半部側に、オイルトレー１８を引き出し可能に備えている。そして、整流板１０の後半部側には送風機ユニット２を構成する排気装置２ｂのファンケーシング１２などにおいて汚染空気Ｇから分離されて整流板１０の上に滴下された油脂分が、オイルトレー１８側に向けて流れるように適宜の勾配を有する油流下斜面部１９を備えている構造としている。
【００３７】
≪オイルトレーの構成≫
オイルトレー１８は、合成樹脂材料や軽量なガラス材料などの透視性を有するに不燃性材料によって形成されている。このオイルトレー１８は、整流板１０の前半部側に相当する大きさを有する上面開口の浅底状で、整流板１０の前半部側に形成されている装着部２０に引き出し可能（スライド可能）に装着されるように形成されている。
【００３８】
油流下斜面部１９は、図５に示すように、整流板１０の後側縁辺から装着部２０との境に向けて適宜の流水勾配にて整流板１０の後半部側の略全面に相当する大きさで、ファンケーシング１２などから滴下された油脂分をオイルトレー１８に向けて流下させるように形成されている。
また、油流下斜面部１９の左右両側には、油脂分の零れ落ちを防ぐための立上り辺部１９ａが備えられている。
【００３９】
また、図５に示すように、排気装置２ｂのファンケーシング１２から滴下および流下される油脂分を、整流板１０の油流下傾斜部１９へと誘導するための油誘導斜面部２１を、送風機ユニット２の排気ボックス２ａからフード部１の連絡口７に向けて備えている。
これにより、フード部１の後側に位置するファンケーシング１２内において汚染空気Ｇから分離された油脂分をも整流板１０の油流下傾斜部１９へと確実に誘導されて、オイルトレー１８に回収されるようにしている。
【００４０】
そして、第３の実施形態に係るレンジフードの送風機ユニット２においては、図５に示すように、フード部１の連絡口７の開口方向に吸込み口１６を向けた水平な横置き状態で、排気装置２ｂを排気ボックス２ａ内に内設させた構造としている。また、排気装置９のファンケーシング１２には、汚染空気Ｇから分離されてファンケーシング１２に内周面などに付着された油脂分を、内周面に沿わせて油流下傾斜部１９、油誘導傾斜部２１へと流下させるための流下孔２２を備えている。
【００４１】
このように構成されている第３の実施形態に係るレンジフードＡ２によれば、図５の（ａ）に示すように、フード部１の開口部９が開口されている調理中において、排気装置２ｂのファンケーシング１２などから滴下および流下される油脂分を、排気ボックス２ａの油誘導傾斜部２１および整流板１０の油流下傾斜部１９から整流板１０の前半部側に装着されているオイルトレー１８によって回収することができる。
そして、オイルトレー１８内に回収された油脂分の回収量などは、図５の（ａ）に示すように、整流板１０が降下移動限へと降下移動したときに、オイルトレー１８を透して目視（確認）することができる。これにより、オイルトレー１８に回収された油脂分が、オイルトレー１８から溢れ出るなどを未然に防ぐことができるようにしている。
【００４２】
［第４の実施形態の説明］
図６は、第４の実施形態に係る本発明のレンジフードの要部を示す縦断側面図である。
第４の実施形態では、図６に示すように、整流板１０が、フード部１の後側に向けて漸次降下移動されたときに、フード部１の後側が傾斜下端側となる斜め姿勢へと変更されるようにフード部１に昇降動可能に備えた構成を採用したものであり、他の構成要素においては前記した第１の実施形態の構成要素と基本的に同じことから、同じ構成要素に同じ符号を付することにより重複説明は省略する。
すなわち、第４の実施形態に係るレンジフードＡ３では、図６に示すように、整流板１０の後側を昇降動可能に支持するリンク部材１７のフードカバー８に対する軸支部１７ａからの支持（吊持）長さを、整流板１０の前側を支持するリンク部材１７に比べて長く形成している。
これにより、整流板１０は、フード部１の開口部９を閉鎖しているときの水平な姿勢から、フード部１の後側へ向けて漸次降下移動するときに、後側を傾斜下端側とする斜め姿勢へと変更される（図６の二点鎖線の状態から実線の状態）。
また、整流板１０は、降下移動したときの傾斜下端側にオイル受け部２３を備えている。
【００４３】
≪オイル受け部の構成≫
オイル受け部２３は、図６に示すように、整流板１０の傾斜下端側となる後側縁辺に沿わせて適宜の幅と深さにて形成されている。
【００４４】
このように構成されている第４の実施形態に係るレンジフードＡ３によれば、フード部１の開口部９を閉鎖する水平な姿勢からフード部１の後側へ向けて漸次降下移動したときに、整流板１０は、フード部１の後側が傾斜下端側となるように斜め姿勢に変更される。
これにより、排気装置２ｂのファンケーシング１２内などにおいて汚染空気Ｇから分離されて整流板１０の上に滴下される油脂分は、図６に示すように、整流板１０の傾斜下端側に設けられているオイル受け部２３側に流れ、該オイル受け部２３によって回収される。
【００４５】
なお、図示を省略しているが、オイル受け部２３は、前記した第３の実施形態に係るレンジフードＡ２の整流板１０に備えられているオイルトレー１８と同様に形成することができる。
【００４６】
［第５の実施形態の説明］
図７は、第５の実施形態に係るレンジフードの運転装置を示す概略構成図である。ここでは、図１〜図３を適宜参照しながら説明する。
この第５の実施形態では、前記した第１〜第４の実施形態に係るレンジフードＡ，Ａ１，Ａ２，Ａ３において、操作部５による送風機ユニット２の排気装置２ｂ（ファンモータＭ１）の運転開始が操作された時点で、昇降モータＭ２が運転を開始し、整流板１０の降下移動が開始するとともに、運転開始が操作された後に、予め設定されている所定の時間が経過した時点で、排気装置２ｂが運転を開始するように構成され、さらに、操作部５による排気装置２ｂの運転停止が操作された後に、予め設定されている所定の時間が経過した時点で、整流板１０が降下移動限からフード部１の開口部９を閉鎖する上昇移動限へと上昇移動を開始するように構成されている（図１、図３（ａ）の状態から図２、図３（ｂ）の状態）。
【００４７】
つまり、第５の実施形態では、図７に示すように、操作部５とファンモータＭ１および昇降モータＭ２との間における操作部５側にタイマ回路２４を備え、このタイマ回路２４と各モータＭ１，Ｍ２毎との間に出力回路２５，２６をそれぞれ備えて構成されている。
【００４８】
≪タイマ回路の構成≫
タイマ回路２４は、操作部５によるファンモータＭ１の運転開始が操作されたときに、この開始操作からファンモータＭ１が実際に運転を開始するまでの予め設定されている所定の時間（ディレイタイム）を入力し、かつ、当該運転開始が操作された時点からファンモータＭ１が実際に運転するためのカウントを開始するように構成されている。そして、操作部５によるファンモータＭ１の運転停止が操作されたときには、この停止操作から昇降モータＭ２が実際に運転を開始（整流板１０の上昇移動を開始）するまでの予め設定されている所定の時間（ディレイタイム）を入力し、且つ、当該運転停止が操作された時点から昇降モータＭ２が実際に運転するためのカウントを開始するように構成されている。
【００４９】
≪出力回路の構成≫
Ｍ１出力回路２５は、ファンモータＭ１の運転開始と運転停止とを切り替えるための通電スイッチ（図示省略）を備えている。このＭ１出力回路２５は、タイマ回路２４によるファンモータＭ１の運転を開始するための所定の時間がカウントされた時点でファンモータＭ１に電流を通電する通電スイッチを閉動作するように、そして、操作部５によるファンモータＭ１の運転停止が操作された時点で通電スイッチを開動作するように構成されている。
【００５０】
Ｍ２出力回路２６は、昇降モータＭ２の逆転運転と正転運転とを切り替えるための逆転・正転通電スイッチ（図示省略）を備えている。このＭ２出力回路２６は、操作部５によるファンモータＭ１の運転停止が操作された時点で昇降モータＭ２に逆転用の電流を通電するように逆転・正転通電スイッチを切り替え、そして、操作部５によるファンモータＭ１の運転停止が操作された時点でカウントを開始するタイマ回路２４による昇降モータＭ２の運転を開始するための所定の時間がカウントされた時点で昇降モータＭ２に正転用の電流を通電するように逆転・正転通電スイッチを切り替えるように構成されている。
【００５１】
また、第５の実施形態では、ファンモータＭ１の運転開始が操作部５により操作された後に、ファンモータＭ１が実際に運転を開始するための所定の時間（ディレイタイム）としては、整流板１０が、図２に示すフード部１の開口部９を閉鎖している上昇移動限から、図１に示す降下移動限まで降下移動する手前または完全に降下移動するためにかかる開動作時間が、例えば、２〜５秒の範囲にある場合、３秒程度に設定することができる。
また、ファンモータＭ１の運転停止が操作部５により操作された後に、整流板１０の昇降モータＭ２が正転運転を開始する（整流板１０が上昇移動を開始する）ための予め設定されている所定の時間（ディレイタイム）としては、ファンモータの運転がＭ１出力回路２５の通電スイッチが開動作された後において惰性で回転する排気ファン１４の惰性回転を含めて、排気ファン１４が止まる直前または完全に止まるまでにかかる停止時間が、例えば、５〜１０秒の範囲にある場合、７秒程度に設定することができる。
【００５２】
［第５の実施形態に係るレンジフードの運転説明］
次に、以上のように構成されている運転装置を備えている第５の実施形態に係るレンジフードＡ，Ａ１，Ａ２，Ａ３の運転について簡単に説明する。
図８は、第５の実施形態に係るレンジフードの運転装置の動作フロチャートである。ここでは、図１〜図３に示されているレンジフードＡを一例として挙げ、適宜参照しながら説明する。
まず、レンジフードＡの運転を開始させるときの動作を、図８の（ａ）に示されている動作フロチャートに基づいて説明すると、図２および図３の（ｂ）に示すように、整流板１０によってフード部１の開口部９が閉鎖されているレンジフードＡが使用されていない状態から、フード部１の前面部１ｂの操作部５によるファンモータＭ１の運転を開始するための運転ＯＮスイッチの操作がされる。
つまり、操作部５に備えられているファンモータＭ１（排気ファン１４）の低速運転スイッチ（ＳＷ４）、中速運転スイッチ（ＳＷ３）、高速運転スイッチ（ＳＷ２）のいずれかのスイッチによる運転ＯＮスイッチの操作がされると（ステップ３０）、Ｍ２出力回路２６の逆転・正転通電スイッチが閉動作されて昇降モータＭ２の逆転運転が開始し、整流板１０が降下移動を開始する。このとき、昇降モータＭ２の逆転運転の開始が確認されると（ステップ３１）、タイマ回路２４のファンモータＭ１の運転タイマがカウントを開始する（ステップ３２）。
整流板１０の降下移動が開始し、タイマ回路２４のファンモータＭ１の運転タイマによるカウントが予め設定されている時間、例えば、３秒に達すると（ステップ３３）、ファンモータＭ１が運転を開始し（ステップ３４）、排気ファン１４を、低速運転、中速運転、高速運転のいずれかで回転させる。
以上により、調理中に加熱調理器具Ｂや調理鍋ｂから立ち昇ってくる汚染空気Ｇを、整流板１０周りに確保されている吸込み隙間Ｓ、特に、フード部１の前側に大きく開口されている吸込み隙間Ｓから効率よくフード部１内に捕集し、排気装置２ｂのファンケーシング１２、そして排気ダクト３を通して屋外に排気する。
【００５３】
次に、レンジフードＡの運転を停止させるときの動作を、図８の（ｂ）に示す動作フロチャートに基づいて説明すると、調理が終了し、操作部５によるファンモータＭ１の運転を停止するための運転ＯＦＦスイッチ（ＳＷ１）の操作がされると（ステップ３５）、Ｍ１出力回路２５の通電スイッチが開動作されてファンモータＭ１への通電が遮断される。このとき、ファンモータＭ１の運転停止（通電遮断）が確認されると（ステップ３６）、タイマ回路２４の昇降モータＭ２の運転タイマがカウントを開始する（ステップ３７）。
ファンモータＭ１の運転が停止し、タイマ回路２４の昇降モータＭ２の運転タイマによるカウントが予め設定されている時間、例えば、７秒に達すると（ステップ３８）、昇降モータＭ２が正転運転を開始し（ステップ３９）、フード部１の開口部９を閉鎖する上昇移動限に向けて整流板１０を上昇移動させる（図２、図３の（ｂ）の状態から図１、図３の（ａ）の状態）。
【００５４】
このように構成されている第５の実施形態では、操作部５によるファンモータＭ１の運転ＯＮスイッチの操作、そして、運転ＯＦＦスイッチの操作に追従させた自動操作にて整流板１０を下降移動および上昇移動させることができる。
つまり、操作部５によるファンモータＭ１の運転開始の操作と略同時に降下移動を開始する整流板１０が降下移動限まで移動する開動作が終了する直前か、終了した時点で、ファンモータＭ１の運転が開始されて、フード部１の後側に向けた整流板１０の降下移動によってフード部１に組み込まれているフードカバー８の開口縁部８ａとの間に確保される吸込み隙間Ｓから汚染空気Ｇをフード部１内に効率よく吸込み捕集するための汚染空気Ｇの捕集を確実に実行させることができる。
【００５５】
また、操作部５による排気装置２ｂのファンモータＭ１の運転停止が操作されたときには、排気ファン１４の回転が停止する直前か、完全に停止した時点で、整流板１０の上昇移動が開始されることで、フード部１内に吸込まれ捕集された汚染空気Ｇが、排気装置２ｂのファンケーシング１２、そして、排気ダクト３を通して屋外に排気される汚染空気Ｇの屋外排気が確実に実行させることができる。
【００５６】
さらに、整流板１０によりフード部１の開口部９が閉鎖された状態でのファンモータＭ１の空運転によって、排気ボックス２ａ、排気装置２ｂのファンケーシング１２内を含めてフード部１内に生じるおそれがある風圧現象などによる騒音や振動などの発生を防ぐことができる。つまり、排気装置２ｂの空回り運転による風圧現象などによる騒音や振動などの発生を抑えることができる。
【００５７】
なお、本発明の実施形態の具体的な構成は、前記した第１〜第５の各実施形態に限られるものではなく、請求項１から請求項５に記載の本発明の要旨を逸脱しない範囲で設計変更などがあっても本発明に含まれるものである。
例えば、排気装置２ｂの運転を開始させるときに、操作部５の運転ＯＮスチッチの操作と略同時に降下移動を開始する整流板１０が、フード部１の開口部９を閉鎖している上昇移動限から予め設定されている降下移動位置まで下降した時点で、排気装置２ｂが運転を開始するように、そして、排気装置２ｂの運転を停止させるときに、操作部５の運転ＯＦＦスイッチの操作がされた後、予め設定されている所定の時間が経過した時点で、降下移動限からフード部１の開口部９を閉鎖する上昇移動限に向けて整流板１０が上昇移動するように構成することができる。
すなわち、整流板１０の任意の降下移動位置でファンモータＭ１の運転を開始させることができ、また逆に、ファンモータＭ１の運転が停止した後、任意の時間をとって昇降モータＭ２の運転を開始させるもので、運転開始の時間の任意の変更は本発明の範囲に含まれるものである。
なお、前記した実施形態では、ファンモータＭ１の運転開始を、整流板１０が降下移動限まで移動する手前または完全に降下移動した時点としているが、降下移動限前にファンモータＭ１を運転開始させると汚染空気の吸込み隙間が狭いため、吸引力が強く、その後、吸引空気流が安定した段階で最大の吸込み隙間となるため、調理中のレンジフードの運転開始の操作のときには、より効率的に汚染空気を捕集することができる。また、吸引音もファンモータＭ１の運転開始時は若干大きいが、吸込み隙間の増加にともなって静かになる。
【００５８】
また、排気装置２ｂの運転を停止させるときに、操作部５の運転ＯＦＦスイッチが操作された後に、排気装置２ｂの排気ファン１４（ファンモータＭ２の出力軸）の回転数が、予め設定されている回転数以下になった時点で、降下移動限からフード部１の開口部９を閉鎖する上昇移動限に向けて整流板１０が上昇移動するように構成することができる。この場合、ファンモータＭ２としてＤＣモータを用いることにより、容易に回転数制御を行うことができる。
【００５９】
また、送風機ユニット２の排気装置２ｂの運転開始と運転停止との切り替え、そして、排気装置２ｂの運転強弱切り替え、さらには照明機器６の点灯と消灯との切り替えなどの操作を、リモコンによる遠隔操作で行うことができる。
【００６０】
また、前記した実施形態では説明を省略しているが、当然のことながら、整流板１０の昇降動は、排気装置２ｂの運転開始、そして運転停止と連動させることなく、調理者による手動操作で行うように構成することができる。
また、整流板１０の降下移動限で、整流板１０をリンク部材１７から着脱できるように構成することができる。これにより、レンジフードの内部や整流板１０の内部などの清掃や点検が容易に行うことができる。
【図面の簡単な説明】
【００６１】
【図１】第1の実施形態に係る本発明のレンジフードにおいて、整流板を下降移動させたときの状態を示す縦断側面図である。
【図２】整流板を上昇移動させてフード部の開口部を閉鎖させたときの状態を示す縦断側面である。
【図３】フード部の斜め下側から見たときの斜視図であり、（ａ）は、整流板が降下移動された状態を示し、（ｂ）は、整流板によりフード部の開口部が閉鎖されている状態を示す。
【図４】第２の実施形態に係る本発明のレンジフードにおいて、整流板を下降移動させたときの状態を示す縦断側面図である。
【図５】第３の実施形態に係る本発明のレンジフードの要部を示す縦断側面図であり、（ａ）は、整流板を下降移動させたときの状態を示し、（ｂ）は、整流板を上昇移動させてフード部の開口部を閉鎖させたときの状態を示す。
【図６】第４の実施形態に係る本発明のレンジフードにおいて、整流板を下降移動させたときの状態を示す縦断側面図である。
【図７】第５の実施形態に係るレンジフードの運転装置を示す概略構成図である。
【図８】同運転装置の動作フロチャートであり、（ａ）は、送風機ユニットの運転を開始させるときの動作を示し、（ｂ）は、送風機ユニットの運転を停止させるときの動作を示す。
【符号の説明】
【００６２】
Ａ，Ａ１，Ａ２，Ａ３  レンジフード
１      フード部
２      送風機ユニット
２ａ    排気ボックス
２ｂ    排気装置
３      排気ダクト
４      幕板
５      操作部
６，１３  照明機器
７      連絡口
８      フードカバー
８ａ    開口縁部
９      開口部
１０    整流板
１２    ファンケーシング
１４    排気ファン
１７    リンク部材（昇降動手段）
１８    オイルトレー
１９    油流下斜面部
２３    オイル受け部
２４    タイマ回路
２５    Ｍ１出力回路
２６    Ｍ２出力回路
Ｍ１    ファンモータ
Ｍ２    昇降モータ（昇降動手段）
Ｇ      汚染空気
【図１】
2008292074.tif 000003
【図２】
2008292074.tif 000004
【図３】
2008292074.tif 000005
【図４】
2008292074.tif 000006
【図５】
2008292074.tif 000007
【図６】
2008292074.tif 000008
【図７】
2008292074.tif 000009
【図８】
2008292074.tif 000010